(57)【要約】  静止画撮影モードに滞在している場合にはモアレや偽色を積極的に除去した高品質な静止画像を得るとともに、特定撮影モードに滞在している場合にはモアレや偽色の悪影響を極力低減した安定品質の特定撮影画像を得ることができる撮影装置及びその制御方法を得る。  撮影モード設定手段は、静止画撮影モードと、この静止画撮影モード以外の特定撮影モードとのいずれかを設定可能である。ＬＰＦ制御手段は、撮影モード設定手段が静止画撮影モードを設定しているときには、駆動機構を介して移動部材を光軸直交平面内で駆動することにより光学的なローパスフィルタ効果を得ることを許容し、撮影モード設定手段が特定撮影モードを設定しているときには、駆動機構を介して移動部材を光軸直交平面内で駆動することにより光学的なローパスフィルタ効果を得ることを禁止する。
2015064242.tif 000002
【特許請求の範囲】
【請求項１】
撮影光学系により形成された被写体像を電気的な画素信号に変換するイメージセンサ；及び
前記撮影光学系の一部をなすレンズと前記イメージセンサの少なくとも一方を移動部材とし、この移動部材を前記撮影光学系の光軸と異なる方向に駆動することにより、被写体光束を前記イメージセンサの複数の画素に入射させて、光学的なローパスフィルタ効果を得る駆動機構；
を有する撮影装置において、
静止画撮影モードと、この静止画撮影モード以外の特定撮影モードとのいずれかを設定可能な撮影モード設定手段；及び
前記撮影モード設定手段が前記静止画撮影モードを設定しているときには、前記駆動機構を介して前記移動部材を駆動することにより光学的なローパスフィルタ効果を得ることを許容し、前記撮影モード設定手段が前記特定撮影モードを設定しているときには、前記駆動機構を介して前記移動部材を駆動することにより光学的なローパスフィルタ効果を得ることを禁止するＬＰＦ制御手段；
を有することを特徴とする撮影装置。
【請求項２】
請求項１記載の撮影装置において、
前記撮影モード設定手段は、前記静止画撮影モードと前記特定撮影モードにおける撮影待機モードとして、ライブビューモードを設定可能であり、
前記ＬＰＦ制御手段は、前記撮影モード設定手段が前記ライブビューモードを設定しているときには、前記駆動機構を介して前記移動部材を駆動することにより光学的なローパスフィルタ効果を得ることを禁止する撮影装置。
【請求項３】
請求項１または２記載の撮影装置において、
前記特定撮影モードは、動画撮影モードとＨＤＲ撮影モードの少なくとも一方を含んでいる撮影装置。
【請求項４】
請求項１ないし３のいずれか１項記載の撮影装置において、
前記駆動機構を介して前記移動部材を駆動することにより光学的なローパスフィルタ効果を得るか否かを切り替えるための操作を行うＬＰＦ操作スイッチをさらに有し、
前記ＬＰＦ制御手段は、前記撮影モード設定手段が前記静止画撮影モードを設定しているときには、前記ＬＰＦ操作スイッチの操作を有効とし、前記撮影モード設定手段が前記特定撮影モードを設定しているときには、前記ＬＰＦ操作スイッチの操作を無効とする撮影装置。
【請求項５】
請求項１ないし４のいずれか１項記載の撮影装置において、
前記特定撮影モードは、動画撮影モードを含んでおり、
前記撮影モード設定手段は、前記動画撮影モードでの動画撮影中にシャッタレリーズボタンが押されたとき、前記動画撮影モードを設定解除して前記静止画撮影モードを設定する撮影装置。
【請求項６】
撮影光学系により形成された被写体像を電気的な画素信号に変換するイメージセンサ；及び
前記撮影光学系の一部をなすレンズと前記イメージセンサの少なくとも一方を移動部材とし、この移動部材を前記撮影光学系の光軸と異なる方向に駆動することにより、被写体光束を前記イメージセンサの複数の画素に入射させて、光学的なローパスフィルタ効果を得る駆動機構；
を有する撮影装置の制御方法において、
静止画撮影モードと、この静止画撮影モード以外の特定撮影モードとのいずれかを設定する撮影モード設定ステップ；及び
前記撮影モード設定ステップで前記静止画撮影モードを設定したときには、前記駆動機構を介して前記移動部材を駆動することにより光学的なローパスフィルタ効果を得ることを許容し、前記撮影モード設定ステップで前記特定撮影モードを設定したときには、前記駆動機構を介して前記移動部材を駆動することにより光学的なローパスフィルタ効果を得ることを禁止するＬＰＦ制御ステップ；
を有することを特徴とする撮影装置の制御方法。
【請求項７】
請求項６記載の撮影装置の制御方法において、
前記撮影モード設定ステップでは、前記静止画撮影モードと前記特定撮影モードにおける撮影待機モードとして、ライブビューモードを設定可能であり、
前記ＬＰＦ制御ステップでは、前記撮影モード設定ステップで前記ライブビューモードを設定したときには、前記駆動機構を介して前記移動部材を駆動することにより光学的なローパスフィルタ効果を得ることを禁止する撮影装置の制御方法。
【請求項８】
請求項６または７記載の撮影装置の制御方法において、
前記特定撮影モードは、動画撮影モードとＨＤＲ撮影モードの少なくとも一方を含んでいる撮影装置の制御方法。
【請求項９】
請求項６ないし８のいずれか１項記載の撮影装置の制御方法において、
前記駆動機構を介して前記移動部材を駆動することにより光学的なローパスフィルタ効果を得るか否かを切り替えるための操作を行うローパスフィルタ操作ステップをさらに有し、
前記ＬＰＦ制御ステップでは、前記撮影モード設定ステップで前記静止画撮影モードを設定したときには、前記ローパスフィルタ操作ステップでの操作を有効とし、前記撮影モード設定ステップで前記特定撮影モードを設定したときには、前記ローパスフィルタ操作ステップでの操作を無効とする撮影装置の制御方法。
【請求項１０】
請求項６ないし９のいずれか１項記載の撮影装置の制御方法において、
前記特定撮影モードは、動画撮影モードを含んでおり、
前記撮影モード設定ステップでは、前記動画撮影モードでの動画撮影中にシャッタレリーズボタンが押されたとき、前記動画撮影モードを設定解除して前記静止画撮影モードを設定する撮影装置の制御方法。
【発明の詳細な説明】
【技術分野】
【０００１】
本発明は、移動部材（振れ補正部材）を撮影光学系の光軸と異なる方向に（例えば光軸直交平面内で）駆動することで光学的なローパスフィルタ効果を得るＬＰＦ機能を有する撮影装置及びその制御方法に関する。
【背景技術】
【０００２】
デジタルカメラで周期性のある被写体を撮影すると、被写体周期と画素ピッチの周期歪により、被写体に本来存在しないモアレや偽色が発生することがある。従来は、撮影光学系の光路に光学ローパスフィルタを挿入して撮影光線を常光線と異常光線に分ける（２点または４点に分離する）ことにより、モアレや偽色の発生を防止していた。しかし、光学ローパスフィルタは高価であり、解像力やコントラストを低下させてしまうので、近年では、光学ローパスフィルタを使用しないデジタルカメラも増えている。【０００３】
特許文献１には、光学ローパスフィルタを使用することなくモアレや偽色の発生を防止するためのデジタルカメラが開示されている。このデジタルカメラは、露光中に撮像素子を１画素程度かつ所定軌跡（例えば円形軌跡や正方形軌跡）を描くように駆動して、被写体光束を検出色の異なる複数の画素で受光することにより、光学的なローパスフィルタ効果を得るＬＰＦ機能を有している。ユーザ（撮影者）は、その好みや趣向に基づくマニュアル設定により、モアレや偽色を除去するために撮像素子を駆動してＬＰＦ機能を働かせるか、あるいは、解像力やコントラストを低下させないために撮像素子を駆動せずＬＰＦ機能を働かせないかを選択することができる。ちなみに、撮像素子を駆動して手振れ補正を行うデジタルカメラでは、その手振れ補正機構を利用してモアレや偽色を除去することが既に知られており、特許文献１もその一つである。
【先行技術文献】
【特許文献】
【０００４】
【特許文献１】特開２００８−３５２４１号公報
【発明の概要】
【発明が解決しようとする課題】
【０００５】
ところで、デジタルカメラの中には、静止画撮影モードの他に各種の特定撮影モード（特殊撮影モード）を有するものも数多い。特定撮影モードとしては、例えば、動画撮影モードやＨＤＲ（High Dynamic Range）撮影モード等が挙げられる。またデジタルカメラでは、静止画撮影モードや特定撮影モードにおける撮影待機モードとして、ライブビューモードを有するものも一般的である。【０００６】
本発明者の鋭意研究によると、デジタルカメラの静止画撮影モードにおいて、撮像素子を駆動してＬＰＦ機能を働かせたときには、意図した通りにモアレや偽色を除去することができるが、デジタルカメラの特定撮影モードやライブビューモードにおいて、撮像素子を駆動してＬＰＦ機能を働かせたときには、モアレや偽色を除去できないばかりか、却ってモアレや偽色が強調されて画像が不自然になる場合すらあることが判明した。【０００７】
例えば、動画撮影モードやライブビューモード中に撮像素子を駆動すると、フレームレートと撮像素子の駆動周期の関係により、動画像やライブビュー画像に時間的な周期性のある偽色が発生してしまう。また、ＨＤＲ撮影モードでは、シャッタスピードが異なる複数枚の画像を撮影する必要があるが、撮像素子の駆動速度には限界があるため、高速のシャッタスピードでは撮像素子の駆動がこれに追従することができず、モアレ除去効果が低減してＨＤＲ処理後の画像が不自然になってしまう。【０００８】
本発明は、以上の問題意識に基づいてなされたものであり、静止画撮影モードに滞在している場合にはモアレや偽色を積極的に除去した高品質な静止画像を得るとともに、特定撮影モードに滞在している場合にはモアレや偽色の悪影響を極力低減した安定品質の特定撮影画像を得ることができる撮影装置及びその制御方法を得ることを目的とする。
【課題を解決するための手段】
【０００９】
本発明の撮影装置は、撮影光学系により形成された被写体像を電気的な画素信号に変換するイメージセンサ；及び前記撮影光学系の一部をなすレンズと前記イメージセンサの少なくとも一方を移動部材（振れ補正部材）とし、この移動部材を前記撮影光学系の光軸と異なる方向に（例えば光軸直交平面内で）駆動することにより、被写体光束を前記イメージセンサの検出色の異なる複数の画素に入射させて、光学的なローパスフィルタ効果を得る駆動機構；を有する撮影装置において、静止画撮影モードと、この静止画撮影モード以外の特定撮影モードとのいずれかを設定可能な撮影モード設定手段；及び前記撮影モード設定手段が前記静止画撮影モードを設定しているときには、前記駆動機構を介して前記移動部材を駆動することにより光学的なローパスフィルタ効果を得ることを許容し、前記撮影モード設定手段が前記特定撮影モードを設定しているときには、前記駆動機構を介して前記移動部材を駆動することにより光学的なローパスフィルタ効果を得ることを禁止するＬＰＦ制御手段；を有することを特徴としている。【００１０】
前記撮影モード設定手段は、前記静止画撮影モードと前記特定撮影モードにおける撮影待機モードとして、ライブビューモードを設定可能であり、前記ＬＰＦ制御手段は、前記撮影モード設定手段が前記ライブビューモードを設定しているときには、前記駆動機構を介して前記移動部材を駆動することにより光学的なローパスフィルタ効果を得ることを禁止することができる。【００１１】
前記特定撮影モードは、動画撮影モードとＨＤＲ撮影モードの少なくとも一方を含むことができる。【００１２】
本発明の撮影装置は、前記駆動機構を介して前記移動部材を駆動することにより光学的なローパスフィルタ効果を得るか否かを切り替えるための操作を行うＬＰＦ操作スイッチをさらに有し、前記ＬＰＦ制御手段は、前記撮影モード設定手段が前記静止画撮影モードを設定しているときには、前記ＬＰＦ操作スイッチの操作を有効とし、前記撮影モード設定手段が前記特定撮影モードを設定しているときには、前記ＬＰＦ操作スイッチの操作を無効とすることができる。【００１３】
前記特定撮影モードは、動画撮影モードを含んでおり、前記撮影モード設定手段は、前記動画撮影モードでの動画撮影中にシャッタレリーズボタンが押されたとき、前記動画撮影モードを設定解除して前記静止画撮影モードを設定することができる。【００１４】
本発明の撮影装置の制御方法は、撮影光学系により形成された被写体像を電気的な画素信号に変換するイメージセンサ；及び前記撮影光学系の一部をなすレンズと前記イメージセンサの少なくとも一方を移動部材（振れ補正部材）とし、この移動部材を前記撮影光学系の光軸と異なる方向に（例えば光軸直交平面内で）駆動することにより、被写体光束を前記イメージセンサの検出色の異なる複数の画素に入射させて、光学的なローパスフィルタ効果を得る駆動機構；を有する撮影装置の制御方法において、静止画撮影モードと、この静止画撮影モード以外の特定撮影モードとのいずれかを設定する撮影モード設定ステップ；及び前記撮影モード設定ステップで前記静止画撮影モードを設定したときには、前記駆動機構を介して前記移動部材を駆動することにより光学的なローパスフィルタ効果を得ることを許容し、前記撮影モード設定ステップで前記特定撮影モードを設定したときには、前記駆動機構を介して前記移動部材を駆動することにより光学的なローパスフィルタ効果を得ることを禁止するＬＰＦ制御ステップ；を有することを特徴としている。【００１５】
前記撮影モード設定ステップでは、前記静止画撮影モードと前記特定撮影モードにおける撮影待機モードとして、ライブビューモードを設定可能であり、前記ＬＰＦ制御ステップでは、前記撮影モード設定ステップで前記ライブビューモードを設定したときには、前記駆動機構を介して前記移動部材を駆動することにより光学的なローパスフィルタ効果を得ることを禁止することができる。【００１６】
前記特定撮影モードは、動画撮影モードとＨＤＲ撮影モードの少なくとも一方を含むことができる。【００１７】
本発明の撮影装置の制御方法は、前記駆動機構を介して前記移動部材を駆動することにより光学的なローパスフィルタ効果を得るか否かを切り替えるための操作を行うローパスフィルタ操作ステップをさらに有し、前記ＬＰＦ制御ステップでは、前記撮影モード設定ステップで前記静止画撮影モードを設定したときには、前記ローパスフィルタ操作ステップでの操作を有効とし、前記撮影モード設定ステップで前記特定撮影モードを設定したときには、前記ローパスフィルタ操作ステップでの操作を無効とすることができる。【００１８】
前記特定撮影モードは、動画撮影モードを含んでおり、前記撮影モード設定ステップでは、前記動画撮影モードでの動画撮影中にシャッタレリーズボタンが押されたとき、前記動画撮影モードを設定解除して前記静止画撮影モードを設定することができる。
【発明の効果】
【００１９】
本発明によれば、静止画撮影モードに滞在している場合にはモアレや偽色を積極的に除去した高品質な静止画像を得るとともに、特定撮影モードに滞在している場合にはモアレや偽色の悪影響を極力低減した安定品質の特定撮影画像を得ることができる撮影装置及びその制御方法を得ることができる。
【図面の簡単な説明】
【００２０】
【図１】本発明によるデジタル一眼レフカメラ（撮影装置）の構成を示す概略図である。
【図２】像振れ補正装置（駆動機構）の構成を示すブロック図である。
【図３】像振れ補正装置（駆動機構）の構成を示す側面図である。
【図４】撮影光学系の光軸を中心とする回転対称な円形軌跡を描くようにイメージセンサを駆動することで光学的なローパスフィルタ効果を得るための動作を示す図である。
【図５】動画撮影中の各フレームの露光周期と、像振れ補正装置によるイメージセンサの光軸直交平面（ＸＹ平面）内での駆動周期との関係を示す、露光周期と駆動周期が同期している場合を示す図である。
【図６】動画撮影中の各フレームの露光周期と、像振れ補正装置によるイメージセンサの光軸直交平面（ＸＹ平面）内での駆動周期との関係を示す、露光周期と駆動周期が同期していない場合を示す図である。
【図７】図５中のフレーム１とフレーム５において、露光中の１光線がイメージセンサ上でどのように動くかを比較して示す図である。
【図８】図６中のフレーム１とフレーム５において、露光中の１光線がイメージセンサ上でどのように動くかを比較して示す図である。
【図９】本発明によるデジタルカメラの動作（制御方法）を示すフローチャートである。
【発明を実施するための形態】
【００２１】
図１〜図９を参照して、本発明による撮影装置をデジタル一眼レフカメラ１０に適用した実施形態について説明する。
【００２２】
図１に示すように、デジタルカメラ１０は、カメラ本体２０と、このカメラ本体２０に着脱可能な交換式レンズ鏡筒３０とを有している。
【００２３】
交換式レンズ鏡筒３０は、被写体側（図１中の左側）から像面側（図１中の右側）に向かって順に、撮影レンズ（撮影光学系、移動部材、振れ補正部材）３２と、絞り（図示せず）とを有している。また、交換式レンズ鏡筒３０は、撮影レンズ３２のフォーカス駆動情報及びレンズ位置情報、並びに絞り（図示せず）の開口径情報などの各種情報を記憶したレンズＣＰＵ３４を有している。交換式レンズ鏡筒３０をカメラ本体２０に装着した状態では、マウント接点（図示せず）を介して、レンズＣＰＵ３４が記憶した各種情報が、カメラ本体２０のカメラＣＰＵ１００によって読み込まれる。なお、図１では、撮影レンズ３２が２枚のレンズからなるように描いているが、実際の撮影レンズ３２は、例えば、固定レンズ、変倍時に移動する変倍レンズ、フォーカシング時に移動するフォーカシングレンズなどの３枚以上のレンズを含むことができる。
【００２４】
カメラ本体２０は、被写体側（図１中の左側）から像面側（図１中の右側）に向かって順に、可動ミラー（クイックリターンミラー）４０と、シャッタ４５と、イメージセンサ（移動部材、振れ補正部材）５０とを有している。可動ミラー４０の上方にはペンタプリズム４１が設けられており、このペンタプリズム４１の出射面側に接眼レンズ４２が設けられている。
【００２５】
可動ミラー４０は、ミラー保持枠（図示せず）にミラー本体（図示せず）を固定してなり、ミラーボックス（図示せず）の内部に、回動軸４０Ｘを中心にして回動自在に支持されている。可動ミラー４０は、カメラＣＰＵ１００による制御の下、ミラー駆動部４３によって、図１中に実線で示すミラーダウン位置と破線で示すミラーアップ位置との間で、回動軸４０Ｘを中心として回動駆動される。可動ミラー４０は、ミラーダウン位置にあるとき、撮影レンズ３２から入射した被写体光をペンタプリズム４１側に向けて反射する。可動ミラー４０で反射された被写体光はペンタプリズム４１によって正立像に変換されて接眼レンズ４２から観察することができる。可動ミラー４０は、ミラーアップ位置にあるとき、撮影レンズ３２から入射した被写体光をシャッタ４５とイメージセンサ５０の側に通過させる。
【００２６】
シャッタ４５は、先幕と後幕の２枚のシャッタ膜で構成され、カメラＣＰＵ１００による制御の下、シャッタ駆動部４６によって、先幕と後幕を所定の時間差で走行させることにより、イメージセンサ５０側に被写体光を通過させる。シャッタ４５の先幕と後幕を走行させる所定の時間差によって露光時間が決定される。
【００２７】
イメージセンサ５０は、カメラＣＰＵ１００による制御の下、イメージセンサ駆動制御部５１によって駆動制御される。可動ミラー４０がミラーアップ位置にあるとき、撮影レンズ３２から入射してシャッタ４５を通過した被写体光による被写体像がイメージセンサ５０の受光面上に形成される。イメージセンサ５０の受光面上に形成された被写体像は、マトリックス状に配置された多数の画素によって、電気的な画素信号に変換され、画像データとして、イメージセンサ駆動制御部５１を介してカメラＣＰＵ１００に出力される。カメラＣＰＵ１００は、イメージセンサ５０から入力した画像データに所定の画像処理を施して、これをＬＣＤ６０に表示し、画像メモリ６５に記憶する。ここで画像メモリ６５は、例えば、ＵＳＢケーブルを介してＰＣ等の外部機器に画像データを出力可能なメモリ、あるいはデジタルカメラ１０（カメラ本体２０）に挿脱自在なフラッシュメモリ等のメモリカードを意味しており、ライブビュー中に受光画像をＬＣＤ６０に表示処理するための一時記憶を行うＤＲＡＭ等の一時記憶メモリ(揮発性メモリ)を意味するものではない。
【００２８】
図１ないし図３に示すように、イメージセンサ５０は、撮影光学系の光軸Ｚと直交するＸ軸方向とＹ軸方向（直交二方向）に移動可能に像振れ補正装置（駆動機構）７０に搭載されている。像振れ補正装置７０は、カメラ本体２０のシャーシなどの構造物に固定される固定支持基板７１と、イメージセンサ５０を固定した、固定支持基板７１に対してスライド可能な可動ステージ７２と、固定支持基板７１の可動ステージ７２との対向面に固定した磁石Ｍ１、Ｍ２、Ｍ３と、固定支持基板７１に可動ステージ７２を挟んで各磁石Ｍ１、Ｍ２、Ｍ３と対向させて固定した、各磁石Ｍ１、Ｍ２、Ｍ３との間に磁気回路を構成する磁性体からなるヨークＹ１、Ｙ２、Ｙ３と、可動ステージ７２に固定した、前記磁気回路の磁界内において電流を受けることにより駆動力を発生する駆動用コイルＣ１、Ｃ２、Ｃ３を有し、駆動用コイルＣ１、Ｃ２、Ｃ３に交流駆動信号を加えることにより、固定支持基板７１に対して可動ステージ７２（イメージセンサ５０）が光軸直交平面内で駆動するようになっている。駆動用コイルＣ１、Ｃ２、Ｃ３に加える交流駆動信号は、カメラＣＰＵ１００による制御の下、振れ補正駆動制御部（駆動信号生成部）７３によって生成される。
【００２９】
本実施形態では、磁石Ｍ１、ヨークＹ１及び駆動用コイルＣ１からなる磁気駆動手段と、磁石Ｍ２、ヨークＹ２及び駆動用コイルＣ２からなる磁気駆動手段（２組の磁気駆動手段）とがイメージセンサ５０の長手方向（水平方向、Ｘ軸方向）に所定間隔で配置され、これにより可動ステージ７２をＹ方向に駆動することができる。また、磁石Ｍ３、ヨークＹ３及び駆動用コイルＣ３からなる磁気駆動手段（１組の磁気駆動手段）がイメージセンサ５０の長手方向と直交する短手方向（鉛直（垂直）方向、Ｙ軸方向）に配置され、これにより可動ステージ７２をＸ方向に駆動することができる。
【００３０】
さらに固定支持基板７１には、各駆動用コイルＣ１、Ｃ２、Ｃ３の近傍（中央空間部）に、磁石Ｍ１、Ｍ２、Ｍ３の磁力を検出して可動ステージ７２（イメージセンサ５０）の光軸直交平面内の位置を示す位置検出信号を検出するホールセンサＨ１、Ｈ２、Ｈ３が配置されている。ホールセンサＨ１、Ｈ２により可動ステージ７２（イメージセンサ５０）のＹ軸方向位置及び傾き（回転）が検出され、ホールセンサＨ３により可動ステージ７２（イメージセンサ５０）のＸ軸方向位置が検出される。カメラＣＰＵ１００は、振れ補正駆動制御部７３を介して、ジャイロセンサ（図示せず）が検出したカメラ本体２０の光軸直交平面内の振れを示す振れ検出信号と、ホールセンサＨ１、Ｈ２、Ｈ３が検出したイメージセンサ５０の光軸直交平面内の位置を示す位置検出信号とに基づいて、像振れ補正装置７０によってイメージセンサ５０を光軸直交平面内で駆動する。これにより、イメージセンサ５０上への被写体像の結像位置を変位させて、手振れに起因する像振れを補正することができる。本実施形態ではこの動作を「イメージセンサ５０の像振れ補正動作（像振れ補正駆動）」と呼ぶ。
【００３１】
本実施形態の像振れ補正装置７０は、撮影光学系の光軸Ｚと直交する平面内において所定軌跡を描くようにイメージセンサ５０を駆動して、被写体光束をイメージセンサ５０の検出色の異なる複数の画素に入射させることにより、光学的なローパスフィルタ効果（以下、ＬＰＦ効果と呼ぶことがある）を与える。本実施形態ではこの動作を「イメージセンサ５０のローパスフィルタ動作（ＬＰＦ動作、ＬＰＦ駆動）」と呼ぶ。
【００３２】
本実施形態の像振れ補正装置７０は、イメージセンサ５０をその像振れ補正動作範囲（像振れ補正駆動範囲）の中央位置で保持する「イメージセンサ５０の中央保持動作（中央保持駆動）」を実行する。例えば、「イメージセンサ５０の像振れ補正動作（像振れ補正駆動）」と「イメージセンサ５０のＬＰＦ動作（ＬＰＦ駆動）」がともにオフの場合には、「イメージセンサ５０の中央保持動作（中央保持駆動）」のみをオンにして撮影が行われる（像振れ補正を行わなくても中央保持は行う）。
【００３３】
「イメージセンサ５０の像振れ補正動作（像振れ補正駆動）」、「イメージセンサ５０のＬＰＦ動作（ＬＰＦ駆動）」及び「イメージセンサ５０の中央保持動作（中央保持駆動）」は、これらの合成動作（合成駆動）として像振れ補正装置７０によって実現される態様、あるいは、これらのいずれか１つの動作（駆動）のみが単独で像振れ補正装置７０によって実現される態様が可能である。
【００３４】
図４を参照して、像振れ補正装置７０が、撮影光学系の光軸Ｚを中心とする回転対称な円形軌跡を描くようにイメージセンサ５０を駆動して、該イメージセンサ５０によってＬＰＦ効果を得るためのＬＰＦ動作について説明する。同図において、イメージセンサ５０は、受光面にマトリックス状に所定の画素ピッチＰで配置された多数の画素５０ａを備え、各画素５０ａの前面にベイヤ配列のカラーフィルタＲ、Ｇ、Ｂのいずれかが配置されている。各画素５０ａは、前面のいずれかのカラーフィルタＲ、Ｇ、Ｂを透過して入射した被写体光線の各色成分（色帯域）の光を光電変換し、その強さ（輝度）に応じた電荷を蓄積する。
【００３５】
露光中にイメージセンサ５０を所定の円形軌跡を描くように駆動すると、各カラーフィルタＲ、Ｇ、Ｂ（画素５０ａ）の中央に入射した被写体光線（光束）が、４個のカラーフィルタＲ、Ｇ、Ｂ、Ｇに均等に入射するので、光学的なローパスフィルタと同等の効果が得られる。つまり、どのカラーフィルタＲ、Ｇ、Ｂ、Ｇ（画素５０ａ）に入射した光線も、必ずその周辺のカラーフィルタＲ、Ｇ、Ｂ、Ｇ（画素５０ａ）に入射するので、恰も光学的なローパスフィルタを光線が通過したのと同等の効果（ＬＰＦ効果）が得られるのである。
【００３６】
さらに、イメージセンサ５０の駆動範囲、すなわちイメージセンサ５０が描く円形軌跡の半径を段階的に切り替えることで、イメージセンサ５０によるＬＰＦ効果の大小を段階的に切り替えることができる。イメージセンサ５０が描く円形軌跡の半径を長くすることでＬＰＦ効果を強くすることができ、イメージセンサ５０が描く円形軌跡の半径を短くすることでＬＰＦ効果を弱くすることができる。表１に示すように、本実施形態では、イメージセンサ５０の駆動範囲ならびにＬＰＦ効果を「ＯＦＦ」、「小」、「中」、「大」の４段階で切り替えることができる。イメージセンサ５０の駆動範囲ならびにＬＰＦ効果が「ＯＦＦ」とは、イメージセンサ５０を駆動することなく、従ってＬＰＦ効果が得られない状態を意味する。
【表１】
2015064242.tif 000003
【００３７】
カメラ本体２０の背面には、ＬＣＤ６０が設けられている。ＬＣＤ６０は、ライブビュー画像のリアルタイム表示、撮影画像（静止画像、動画像、その他の各種画像）の再生表示、デジタルカメラ１０の各種設定の確認及び変更等を行うための表示を行う。
【００３８】
カメラ本体２０の背面には、デジタルカメラ１０の各種設定の確認及び変更を行うための操作スイッチ８０が設けられている。操作スイッチ８０を操作することによって、絞り値、シャッタスピード、ＩＳＯ感度、ストロボ、セルフタイマ等の各種設定を行うことができる。操作スイッチ８０は、イメージセンサ５０の駆動範囲ならびにＬＰＦ効果を上記表１の「ＯＦＦ」、「小」、「中」、「大」の４段階のいずれに設定するかを切り替えるための操作を行うＬＰＦ操作スイッチ８２を含んでいる。また、カメラ本体２０の上面には、デジタルカメラ１０による撮影を行うためのシャッタレリーズボタン８５が設けられている。
【００３９】
カメラＣＰＵ１００は、撮影モード設定部（撮影モード設定手段）１１０と、撮影制御部１２０と、ＬＰＦ制御部（ＬＰＦ制御手段）１３０とを有している。
【００４０】
撮影モード設定部１１０は、ユーザ（撮影者）による操作スイッチ８０の操作に従って、デジタルカメラ１０による撮影モードの設定を行う。
【００４１】
撮影モード設定部１１０は、デジタルカメラ１０による撮影モードとして、「静止画撮影モード」と、この静止画撮影モード以外の「特定撮影モード（特殊撮影モード）」とのいずれかを設定可能である。本実施形態では、特定撮影モードは、「動画撮影モード」と「ＨＤＲ（High Dynamic Range）撮影モード」とを含んでいる。
【００４２】
撮影モード設定部１１０は、静止画撮影モードと特定撮影モード（動画撮影モード、ＨＤＲ撮影モード）における撮影待機モードとして、「ライブビューモード」を設定可能である。
【００４３】
本明細書で「静止画撮影モード」は、被写体の静止画像を記憶手段（画像メモリ６５）に記憶する撮影モードを意味し、一般的な１コマ撮影の他、連続撮影やブラケット撮影を含む概念で使用する。
【００４４】
本明細書で「動画撮影モード（特定撮影モード）」は、被写体の動画像を記憶手段（画像メモリ６５）に記憶する撮影モードを意味する。
【００４５】
本明細書で「ＨＤＲ撮影モード（特定撮影モード）」は、露光条件を変えて連写した複数枚の画像データを取得し、この複数枚の画像を使用して撮影画面内で白とびや黒つぶれが発生しないように合成することで、あたかもイメージセンサ５０のダイナミックレンジが拡大されたような画像を得る撮影モードを意味する。
【００４６】
本明細書で「ライブビューモード（撮影待機モード）」は、被写体の動画像をＤＲＡＭ等の一時記憶メモリ（画像メモリ６５とは別体である）に一時記憶しながらこれを表示手段（ＬＣＤ６０）にリアルタイムで表示するモードを意味しており、表示中の画像を記憶手段（画像メモリ６５）に記憶する撮影モードは含まないものとする。すなわち、被写体の動画像を表示手段（ＬＣＤ６０）にリアルタイムで表示しながらその画像を記憶手段（画像メモリ６５）に記憶しているような場合は、もはや「ライブビューモード（撮影待機モード）」に滞在しているのではなく、上述したいずれかの撮影モードに滞在していることになる。別言すると、ライブビュー表示中にシャッタレリーズボタン８５が押されて撮影が開始されるのと同時に、デジタルカメラ１０の撮影モードが「ライブビューモード（撮影待機モード）」からいずれかの撮影モードに移行する。
【００４７】
撮影制御部１２０は、撮影モード設定部１１０が設定した撮影モードに応じた撮影を実行するように、カメラ本体２０内の各構成要素を制御する。
【００４８】
撮影制御部１２０は、撮影モード設定部１１０が「静止画撮影モード」を設定しているときは、ミラー駆動部４３を介して可動ミラー４０をミラーアップ位置に位置させ、所定の露光条件（絞り値とシャッタスピード）でシャッタ４５を開いて露光を行い、イメージセンサ５０によって静止画像を撮像してこれを画像メモリ６５に記憶させる。
【００４９】
撮影制御部１２０は、撮影モード設定部１１０が「動画撮影モード」を設定しているときは、ミラー駆動部４３を介して可動ミラー４０をミラーアップ位置に位置させ、シャッタ４５をオープンとして露光状態を維持したまま、イメージセンサ５０によって動画像を撮像してこれを画像メモリ６５に記憶させる。
【００５０】
撮影制御部１２０は、撮影モード設定部１１０が「ＨＤＲ撮影モード」を設定しているときは、ミラー駆動部４３を介して可動ミラー４０をミラーアップ位置に位置させ、露光条件（絞り値とシャッタスピード）を変えながらイメージセンサ５０によって複数枚の画像データを取得し、この複数枚の画像データから画面内の各部分で輝度階調が最も高い画像を選択した後、複数枚の画像データの位置合わせと各画像間のコントラスト調整を行いながら合成画像を作成しこれを画像メモリ６５に記憶させる。
【００５１】
撮影制御部１２０は、撮影モード設定部１１０が「ライブビューモード」を設定しているときは、ミラー駆動部４３を介して可動ミラー４０をミラーアップ位置に位置させ、シャッタ４５をオープンとして露光状態を維持したまま、イメージセンサ５０によって動画像を撮像してこれをＬＣＤ６０にリアルタイムで表示させる。撮影制御部１２０は、撮像した動画像の画像メモリ６５への記憶は行わせない。
【００５２】
撮影制御部１２０は、撮影モード設定部１１０が「ライブビューモード」を設定していないときは、ミラー駆動部４３を介して可動ミラー４０をミラーダウン位置に位置させる。
【００５３】
ＬＰＦ制御部１３０は、撮影モード設定部１１０が設定した撮影モードに応じて、像振れ補正装置７０を介してイメージセンサ５０を光軸直交平面内で駆動することにより光学的なローパスフィルタ効果を得ることを許容するか又は禁止するかを制御する。
【００５４】
より具体的に、ＬＰＦ制御部１３０は、撮影モード設定部１１０が「静止画撮影モード」を設定しているときは、像振れ補正装置７０を介してイメージセンサ５０を光軸直交平面内で駆動することにより光学的なローパスフィルタ効果を得ることを許容する。すなわち、ＬＰＦ制御部１３０は、ＬＰＦ操作スイッチ８２の操作を有効として、該スイッチ８２による操作内容の通りに、イメージセンサ５０の駆動範囲ならびにＬＰＦ効果を上記表１の「ＯＦＦ」、「小」、「中」、「大」の４段階のいずれかに設定する。
【００５５】
一方、ＬＰＦ制御部１３０は、撮影モード設定部１１０が「動画撮影モード（特定撮影モード）」、「ＨＤＲ撮影モード（特定撮影モード）」または「ライブビューモード（撮影待機モード）」を設定しているときは、像振れ補正装置７０を介してイメージセンサ５０を光軸直交平面内で駆動することにより光学的なローパスフィルタ効果を得ることを禁止する。すなわち、ＬＰＦ制御部１３０は、ＬＰＦ操作スイッチ８２の操作を無効として（ＬＰＦ操作スイッチ８２による設定を無視して）、該スイッチ８２による操作内容にかかわらず、強制的に、イメージセンサ５０の駆動範囲ならびにＬＰＦ効果を上記表１の「ＯＦＦ」に設定する。
【００５６】
ＬＰＦ制御部１３０は、撮影モード設定部１１０が設定している撮影モードが「動画撮影モード（特定撮影モード）」、「ＨＤＲ撮影モード（特定撮影モード）」または「ライブビューモード（撮影待機モード）」から、「静止画撮影モード」に移行したときは、ＬＰＦ操作スイッチ８２の操作を無効から有効に切り替えて、該スイッチ８２による設定内容（スイッチ８２の操作が有効であるときの元の設定内容）の通りに、イメージセンサ５０の駆動範囲ならびにＬＰＦ効果を上記表１の「ＯＦＦ」、「小」、「中」、「大」の４段階のいずれかに設定する。
【００５７】
例えば、撮影モード設定部１１０が「静止画撮影モード」を設定しており、且つ、ＬＰＦ操作スイッチ８２によってイメージセンサ５０の駆動範囲ならびにＬＰＦ効果が上記表１の「大」に設定されている場合において、撮影モード設定部１１０が設定している撮影モードが「動画撮影モード（特定撮影モード）」に変更され、その後さらに「静止画撮影モード」に変更された場合を想定する。この場合、ＬＰＦ制御部１３０は、撮影モード設定部１１０が「動画撮影モード（特定撮影モード）」を設定している間は、ＬＰＦ操作スイッチ８２による設定を無視して、ＬＰＦ駆動（ローパスセレクタ駆動）を禁止し、撮影モード設定部１１０が「静止画撮影モード」を設定したとき、再び、イメージセンサ５０の駆動範囲ならびにＬＰＦ効果を上記表１の「大」に設定する。
【００５８】
モアレや偽色の防止に関し、デジタルカメラ１０の「静止画撮影モード」において、イメージセンサ５０を駆動してＬＰＦ機能を働かせたときには、意図した通りにモアレや偽色を除去することができる。ところが、デジタルカメラ１０の「特定撮影モード（動画撮影モード、ＨＤＲ撮影モード）」や「ライブビューモード」において、イメージセンサ５０を駆動してＬＰＦ機能を働かせたときには、モアレや偽色を除去できないばかりか、却ってモアレや偽色が強調されて画像が不自然になる場合すらある。本発明者はこの知見に基づき、デジタルカメラ１０の「静止画撮影モード」では、ＬＰＦ機能を働かせてモアレや偽色を積極的に除去した高品質な静止画像を得るとともに、デジタルカメラ１０の「特定撮影モード（動画撮影モード、ＨＤＲ撮影モード）」や「ライブビューモード」では、逆にＬＰＦ機能を働かせないことにより、モアレや偽色の悪影響を極力低減した安定品質の特定撮影画像を得ることに成功した。
【００５９】
図５〜図８を参照して、デジタルカメラ１０の「動画撮影モード」と「ライブビューモード」において、イメージセンサ５０を駆動してＬＰＦ機能を働かせたときに、所望のＬＰＦ機能が得られないその原理について説明する。
【００６０】
図５、図６は、動画撮影中の各フレームの露光周期と、像振れ補正装置７０によるイメージセンサ５０の光軸直交平面（ＸＹ平面）内での駆動周期との関係を示している。図５は露光周期と駆動周期が同期している場合であり、図６は露光周期と駆動周期が同期していない場合である。図５、図６ともに、動画撮影中の各フレーム１〜５において例えば６０Ｈｚの周波数で周期的に画像の取り込みを行っており、イメージセンサ５０がＸ方向とＹ方向にそれぞれ正弦波状に駆動されている。この正弦波の振幅の２倍（＝ＭＡＸ−ＭＩＮ）が１画素〜１．５画素の移動量となるように、所望のモアレ除去効果に応じて、正弦波の振幅が決定される。また、Ｘ方向の駆動に対してＹ方向の駆動を９０°進めている（位相をずらしている）ので、イメージセンサ５０は円形軌跡を描きながら運動することになる。以下、図５、図６のそれぞれの場合に撮影される動画像について説明する。
【００６１】
図７、図８は、図５、図６中のフレーム１とフレーム５において、露光中の１光線がイメージセンサ５０上でどのように動くかを比較して示している。実際に移動させるのはイメージセンサ５０であるが、ここでは相対的に光線の動きとして描いている。上述したように、イメージセンサ５０は、受光面にマトリックス状に所定の画素ピッチＰで配置された多数の画素５０ａを備え、各画素５０ａの前面にベイヤ配列のカラーフィルタＲ、Ｇ、Ｂのいずれかが配置されている。イメージセンサ５０は直径約１画素の円運動を行っており、図７、図８中の実線と破線で示した円に沿って運動がなされる。
【００６２】
図５では、フレーム周期の約半分が露光時間となっているため、露光中のイメージセンサ５０の移動軌跡は円にはならず、図７に実線で示す半周分の円弧となる。さて、ここでフレーム１とフレーム５の移動軌跡を比べてみると、各フレームの露光周期とイメージセンサ５０の駆動周期は同期しているので、フレーム１とフレーム５におけるイメージセンサ５０の移動軌跡は同一となる。ただし、この場合は、イメージセンサ５０がＲＧＢのＲＧの画素だけを移動していてＢの色情報が欠落するため、仮にこの移動軌跡に対応する光線が白色光であるときには、イエローの偽色が発生する。動画像としてはイエローの偽色が発生するが、フレーム１とフレーム５におけるイメージセンサ５０の移動軌跡は同じであるため、フレームの違いによる色の変化は発生しない。
【００６３】
図６では、各フレームの露光周期とイメージセンサ５０の駆動周期が同期していないので、フレーム１とフレーム５では、イメージセンサ５０の駆動位相に１８０°のずれが発生している。このため、図８に示すように、イメージセンサ５０上の光線の移動軌跡も円の半周分ずれ、フレーム１では図７と同様にイエローの偽色であったのが、フレーム５ではＲの色情報の欠落によりシアンの偽色に変化する。よって、図６に示した駆動条件では、動画の５フレーム毎に、イエローからシアン、シアンからイエローに変化を繰り返す現象が出現する。
【００６４】
以上のように、動画撮影やライブビュー撮影において像振れ補正装置７０によりイメージセンサ５０を駆動した場合、各フレームの露光周期とイメージセンサ５０の駆動周期が同期していないと、時間とともに色が変化するという好ましくない現象が発生する。そして、各フレームの露光周期とイメージセンサ５０の駆動周期を常に完全に同期させることは、動画撮影、ライブビュー撮影またはＬＰＦ機能のいずれかの制御に制約を加えることになるので好ましいものではない。
【００６５】
また、ＨＤＲ撮影を行う場合は、シャッタスピードを変えて撮影した複数枚の画像の合成が行われる。図８の例では、周期がずれていたために異なる偽色が発生したが、シャッタスピードを変えた場合にも、光線の移動軌跡が各画像で異なり、これらの画像間で偽色の現れ方も異なったりＬＰＦ効果の程度が異なったりする。その結果、ＨＤＲ処理後の画像が不自然になってしまう。
【００６６】
図９のフローチャートを参照して、本発明によるデジタルカメラ１０の動作（制御方法）について説明する。
【００６７】
ＬＰＦ制御部１３０は、ＬＰＦ操作スイッチ８２の操作によって、イメージセンサ５０の駆動によるＬＰＦ機能の設定がオンになっているか否か、すなわちイメージセンサ５０の駆動範囲ならびにＬＰＦ効果が上記表１の「小」、「中」、「大」のいずれかに設定されているか否かを判定する（ステップＳ１）。
【００６８】
ＬＰＦ制御部１３０は、イメージセンサ５０の駆動によるＬＰＦ機能の設定がオフになっている、すなわちイメージセンサ５０の駆動範囲ならびにＬＰＦ効果が上記表１の「ＯＦＦ」に設定されていると判定したときは（ステップＳ１：ＮＯ）、イメージセンサ５０の駆動によるＬＰＦ機能をオフにする（ステップＳ７）。
【００６９】
ＬＰＦ制御部１３０は、イメージセンサ５０の駆動によるＬＰＦ機能の設定がオンになっている、すなわちイメージセンサ５０の駆動範囲ならびにＬＰＦ効果が上記表１の「小」、「中」、「大」のいずれかに設定されていると判定したときは（ステップＳ１：ＹＥＳ）、デジタルカメラ１０が「ライブビューモード」に滞在しているか否かを判定する（ステップＳ２）。
【００７０】
ＬＰＦ制御部１３０は、デジタルカメラ１０が「ライブビューモード」に滞在していると判定したときは（ステップＳ２：ＹＥＳ）、ＬＰＦ操作スイッチ８２の操作を無効として、強制的に、イメージセンサ５０の駆動によるＬＰＦ機能をオフにする（ステップＳ７）。
【００７１】
ライブビュー表示中にユーザ（撮影者）がシャッタレリーズボタン８５を押すと、静止画撮影、動画撮影またはＨＤＲ撮影が実行され、デジタルカメラ１０の撮影モードが「ライブビューモード」から「静止画撮影モード」、「動画撮影モード」または「ＨＤＲ撮影モード」のいずれかに移行する（ステップＳ２：ＮＯ）。
【００７２】
ＬＰＦ制御部１３０は、デジタルカメラ１０が「動画撮影モード」に滞在しているときは（ステップＳ３：ＹＥＳ）、ＬＰＦ操作スイッチ８２による設定を無効として、強制的に、イメージセンサ５０の駆動によるＬＰＦ機能をオフにする（ステップＳ７）。そしてこのＬＰＦ機能のオフ状態で、撮影制御部１２０による制御の下、動画撮影が実行される。
【００７３】
ＬＰＦ制御部１３０は、デジタルカメラ１０が「ＨＤＲ撮影モード」に滞在しているときは（ステップＳ３：ＮＯ、ステップＳ４：ＹＥＳ）、ＬＰＦ操作スイッチ８２による設定を無効として、強制的に、イメージセンサ５０の駆動によるＬＰＦ機能をオフにする（ステップＳ７）。そしてこのＬＰＦ機能のオフ状態で、撮影制御部１２０による制御の下、ＨＤＲ撮影が実行される。
【００７４】
ＬＰＦ制御部１３０は、デジタルカメラ１０が「静止画撮影モード」に滞在しているときは（ステップＳ３：ＮＯ、ステップＳ４：ＮＯ、ステップＳ５）、ＬＰＦ操作スイッチ８２による設定を有効として、該スイッチ８２による設定内容の通りに、イメージセンサ５０の駆動によるＬＰＦ機能をオンにする（ステップＳ６）。そしてこのＬＰＦ機能のオン状態で、撮影制御部１２０による制御の下、静止画撮影が実行される。
【００７５】
なお、撮影モード設定部１１０は、「動画撮影モード」での動画撮影中にシャッタレリーズボタン８５が押されたとき、「動画撮影モード」を設定解除して「静止画撮影モード」を設定することができる（動画撮影中に静止画撮影を割り込ませることができる）。この場合、「静止画撮影モード」になるので、ステップＳ１において、イメージセンサ５０の駆動によるＬＰＦ機能の設定がオンになっていれば（ステップＳ１：ＹＥＳ）、ＬＰＦ機能を働かせて静止画撮影を実行し、イメージセンサ５０の駆動によるＬＰＦ機能の設定がオフになっていれば（ステップＳ１：ＮＯ）、ＬＰＦ機能を働かせずに静止画撮影を実行する。
【００７６】
以上の実施形態では、イメージセンサ５０を「移動部材、振れ補正部材」として、このイメージセンサ５０を光軸直交平面内で駆動する態様を例示して説明したが、本発明はこれに限定されるものではない。例えば、撮影レンズ（撮影光学系）３２の一部をなすレンズを「移動部材、振れ補正部材」として、このレンズを交換式レンズ鏡筒３０内に設けたボイスコイルモータ（駆動機構）によって光軸直交平面内で駆動する態様も可能である。あるいは、イメージセンサ５０と撮影レンズ（撮影光学系）３２の一部をなすレンズの双方を「移動部材、振れ補正部材」として、これらを光軸直交平面内で駆動する態様も可能である。いずれの態様であっても、イメージセンサ５０上への被写体像の結像位置を変位させて像振れを補正するとともに、被写体光束をイメージセンサ５０の検出色の異なる複数の画素に入射させて光学的なローパスフィルタ効果を得ることができる。
【００７７】
以上の実施形態では、像振れ補正動作及びＬＰＦ動作を実行するために、像振れ補正装置（駆動機構）７０を介してイメージセンサ（移動部材、像振れ補正部材）５０を光軸直交平面内で駆動する場合を例示して説明したが、イメージセンサ（移動部材、像振れ補正部材）５０を駆動する方向はこれに限定されず、撮影光学系の光軸と異なる方向であればよい。
【００７８】
以上の実施形態では、イメージセンサ５０が描く所定軌跡を、撮影光学系の光軸Ｚを中心とする回転対称な円形軌跡とした場合を例示して説明したが、これに限定されず、例えば、撮影光学系の光軸Ｚを中心とする回転対称な正方形軌跡、あるいは、撮影光学系の光軸Ｚと直交する平面内における直線往復移動軌跡としてもよい。
【００７９】
以上の実施形態では、デジタルカメラ１０が「特定撮影モード」として「動画撮影モード」と「ＨＤＲ撮影モード」の双方を有している場合を例示して説明したが、これらのいずれか一方のモードのみを「特定撮影モード」として有する態様も可能である。
【００８０】
以上の実施形態では、「動画撮影モード」や「ＨＤＲ撮影モード」などのように、周期がずれたり高速シャッタになったりした場合に画像品質の劣化などの不都合が起きる撮影モードにおいて、ＬＰＦ駆動を禁止して撮影を実行する場合を例示して説明したが、これに限定されず、その他の撮影モードであっても、周期がずれたり高速シャッタになったりした場合に画像品質の劣化などの不都合が起きる場合には、その間だけＬＰＦ駆動を禁止して撮影を実行することも可能である。
【００８１】
以上の実施形態では、像振れ補正装置（駆動機構）７０の構成として、固定支持基板７１に磁石Ｍ１、Ｍ２、Ｍ３及びヨークＹ１、Ｙ２、Ｙ３を固定し、可動ステージ７２に駆動用コイルＣ１、Ｃ２、Ｃ３を固定した場合を例示して説明したが、この位置関係を逆にして、可動ステージに磁石及びヨークを固定し、固定支持基板に駆動用コイルを固定する態様も可能である。
【００８２】
以上の実施形態では、カメラ本体２０と交換式レンズ鏡筒３０を着脱可能（レンズ交換可能）とした態様を例示して説明したが、これらを一体化してレンズ交換不能とする態様も可能である。
【００８３】
以上の実施形態では、本発明の撮影装置を、可動ミラー（クイックリターンミラー）４０を有するデジタル一眼レフカメラ１０に適用した場合を例示して説明した。しかし、本発明の撮影装置は、可動ミラー（クイックリターンミラー）を省略した、いわゆるミラーレスタイプのデジタルカメラにも同様に適用可能である。ミラーレスタイプのデジタルカメラでは、基本的に、カメラの電源スイッチをオンにするのと同時にライブビューモードが開始されるので、カメラの電源スイッチがオンされた直後（ライブビュー画像が表示される前まで）に、ＬＰＦ機能をオフに設定する。
【００８４】
以上の実施形態では、イメージセンサ５０の駆動範囲ならびにＬＰＦ効果を「ＯＦＦ」、「小」、「中」、「大」の４段階で切り替える場合を例示して説明したが、イメージセンサ５０の駆動範囲ならびにＬＰＦ効果をもっと大まかに又はもっと詳細に設定する態様も可能である。例えば、イメージセンサ５０の駆動範囲ならびにＬＰＦ効果を「ＯＦＦ」と「ＯＮ」の２段階で切り替える態様、イメージセンサ５０の駆動範囲ならびにＬＰＦ効果を「ＯＦＦ」、「１」、「２」、「３」、「４」、「５」、「６」の７段階（数字が大きい方がイメージセンサ５０の駆動範囲ならびにＬＰＦ効果が大きいものとする）で切り替える態様も可能である。
【産業上の利用可能性】
【００８５】
本発明の撮影装置及びその制御方法は、デジタルカメラ等の撮影装置及びその制御方法に用いて好適である。
【符号の説明】
【００８６】
１０  デジタル一眼レフカメラ（撮影装置）
２０  カメラ本体
３０  交換式レンズ鏡筒
３２  撮影レンズ（撮影光学系、移動部材、振れ補正部材）
３４  レンズＣＰＵ
４０  可動ミラー（クイックリターンミラー）
４０Ｘ  回動軸
４１  ペンタプリズム
４２  接眼レンズ
４３  ミラー駆動部
４５  シャッタ
４６  シャッタ駆動部
５０  イメージセンサ（移動部材、振れ補正部材）
５０ａ  画素
Ｒ  Ｇ  Ｂ  カラーフィルタ
５１  イメージセンサ駆動制御部
６０  ＬＣＤ
６５  画像メモリ
７０  像振れ補正装置（駆動機構）
７１  固定支持基板
７２  可動ステージ
７３  振れ補正駆動制御部（駆動信号生成部）
Ｍ１  Ｍ２  Ｍ３  磁石
Ｙ１  Ｙ２  Ｙ３  ヨーク
Ｃ１  Ｃ２  Ｃ３  駆動用コイル
Ｈ１  Ｈ２  Ｈ３  ホールセンサ
８０  操作スイッチ
８２  ＬＰＦ操作スイッチ
８５  シャッタレリーズボタン
１００  カメラＣＰＵ
１１０  撮影モード設定部（撮影モード設定手段）
１２０  撮影制御部
１３０  ＬＰＦ制御部（ＬＰＦ制御手段）
【図１】
2015064242.tif 000004
【図２】
2015064242.tif 000005
【図３】
2015064242.tif 000006
【図４】
2015064242.tif 000007
【図５】
2015064242.tif 000008
【図６】
2015064242.tif 000009
【図７】
2015064242.tif 000010
【図８】
2015064242.tif 000011
【図９】
2015064242.tif 000012
【国際調査報告】
2015064242.tif 000013
2015064242.tif 000014
2015064242.tif 000015
2015064242.tif 000016